(57)【要約】【課題】１００ＧＨｚを超える周波数帯で多値度の高い変調が可能な無線送受信機を提供する。【解決手段】  本発明の無線送信機は、１００ＧＨｚ以下の搬送波周波数を有する多値変調信号を出力する多値変調送信器と、多値変調信号を１００ＧＨｚを超える周波数帯にアップコンバートする周波数アップコンバージョン用ミキサと、周波数アップコンバージョン用ミキサを駆動するミキサ駆動用信号源と、周波数アップコンバージョン用ミキサの出力信号を増幅するパワーアンプとを有し、多値変調送信器は、ＣＭＯＳトランジスタを用いて構成され、周波数アップコンバージョン用ミキサおよびミキサ駆動用信号源は、ＣＭＯＳトランジスタもしくは化合物半導体トランジスタを用いて構成され、パワーアンプは、化合物半導体トランジスタを用いて構成される。【選択図】図１
2019033366.tif 000002
【特許請求の範囲】
【請求項１】
１００ＧＨｚ以下の搬送波周波数を有する多値変調信号を出力する多値変調送信器と、前記多値変調信号を１００ＧＨｚを超える周波数帯にアップコンバートする周波数アップコンバージョン用ミキサと、前記周波数アップコンバージョン用ミキサを駆動するミキサ駆動用信号源と、前記周波数アップコンバージョン用ミキサの出力信号を増幅するパワーアンプとを有し、
前記多値変調送信器は、ＣＭＯＳトランジスタを用いて構成され、前記周波数アップコンバージョン用ミキサおよび前記ミキサ駆動用信号源は、ＣＭＯＳトランジスタもしくは化合物半導体トランジスタを用いて構成され、前記パワーアンプは、化合物半導体トランジスタを用いて構成されること
を特徴とする無線送信機。
【請求項２】
１００ＧＨｚを超える搬送波周波数を有する多値変調信号を増幅する低雑音アンプと、前記低雑音アンプの出力信号を１００ＧＨｚ以下の周波数帯にダウンコンバートする周波数ダウンコンバージョン用ミキサと、前記周波数ダウンコンバージョン用ミキサを駆動するミキサ駆動用信号源と、前記周波数ダウンコンバージョン用ミキサが出力する１００ＧＨｚ以下の搬送波周波数を有する多値変調信号を復調する多値復調受信器とを有し、
前記低雑音アンプは、化合物半導体トランジスタを用いて構成され、前記周波数ダウンコンバージョン用ミキサおよび前記ミキサ駆動用信号源は、ＣＭＯＳトランジスタもしくは化合物半導体トランジスタを用いて構成され、前記多値復調受信器は、ＣＭＯＳトランジスタを用いて構成されること
を特徴とする無線受信機。
【請求項３】
請求項１記載の無線送信機と請求項２記載の無線受信機を備えた無線通信システム。
【請求項４】
１００ＧＨｚ以下の搬送波周波数を有する多値変調信号を出力する複数の多値変調送信器と、複数の前記多値変調信号を１００ＧＨｚを超える周波数帯にアップコンバートする複数の周波数アップコンバージョン用ミキサと、複数の前記周波数アップコンバージョン用ミキサを駆動する複数のミキサ駆動用信号源と、前記複数の周波数アップコンバージョン用ミキサの出力信号を周波数領域で多重する周波数多重回路と、前記周波数多重回路の出力信号を増幅するパワーアンプとを有し、
前記多値変調送信器は、ＣＭＯＳトランジスタを用いて構成され、前記周波数アップコンバージョン用ミキサおよび前記ミキサ駆動用信号源は、ＣＭＯＳトランジスタもしくは化合物半導体トランジスタを用いて構成され、前記パワーアンプは、化合物半導体トランジスタを用いて構成されること
を特徴とする無線送信機。
【請求項５】
１００ＧＨｚを超える搬送波周波数を有する多値変調信号を増幅する低雑音アンプと、前記低雑音アンプの出力信号を周波数領域で分割する周波数分割回路と、前記周波数分割回路の出力信号を１００ＧＨｚ以下の周波数帯にダウンコンバートする複数の周波数ダウンコンバージョン用ミキサと、前記周波数ダウンコンバージョン用ミキサを駆動する複数のミキサ駆動用信号源と、前記周波数ダウンコンバージョン用ミキサが出力する１００ＧＨｚ以下の搬送波周波数を有する多値変調信号を復調する複数の多値復調受信器とを有し、
前記低雑音アンプは、化合物半導体トランジスタを用いて構成され、前記周波数ダウンコンバージョン用ミキサおよび前記ミキサ駆動用信号源は、ＣＭＯＳトランジスタもしくは化合物半導体トランジスタを用いて構成され、前記多値復調受信器は、ＣＭＯＳトランジスタを用いて構成されること
を特徴とする無線受信機。
【請求項６】
請求項４記載の無線送信機と請求項５記載の無線受信機を備えた無線通信システム。
【発明の詳細な説明】
【技術分野】
【０００１】
本発明は、高周波電気信号を扱う無線通信システムに関する。
【背景技術】
【０００２】
無線通信においては、そのデータレートを向上するための技術が提案されている。データレートを向上するためには、（１）周波数利用効率を向上させて、同じ帯域幅で伝送可能なデータ量を増加させる、（２）データ伝送に用いる帯域そのものを広げる、という二つのアプローチが存在する。ここで、マイクロ波帯等の低周波帯では、様々なアプリケーションに帯域が割り当てられるため使用可能な周波数帯が限定されており、（１）のアプローチが選択されてきた。具体的には、ＱＰＳＫ（Quadrature Phase Shift Keying）や１６ＱＡＭ（Quadrature Amplitude Modulation）、６４ＱＡＭ等の多値変調技術を用いて周波数利用効率を向上させている。
【０００３】
一方、ミリ波帯以上の高周波帯では、低周波帯と比較して自由に使用可能な帯域が多く残っているため、（２）のアプローチが選択されることが多い。また、ミリ波帯以上の周波数を用いることで、少ない比帯域で大きな帯域を使用可能であるという利点からも（２）のアプローチがとられる場合が多い。
【０００４】
すなわち、無線通信用の送受信機を構成する電子回路に用いられる狭帯域のアナログ回路部品は、ある帯域内でしか動作させることが出来ないため、それが原因で無線機全体の帯域が制限されるが、これらのアナログ回路部品は、実際の帯域を中心周波数で規格化した値（比帯域）により動作範囲が決まる傾向があるため、中心周波数が高くなると、同じ比帯域でも動作可能な実際の帯域は広くなる。データレートは、無線機の実際の帯域が広いほど高くできるため、搬送波周波数を高くすることでデータレートの高い無線機を実現することができる。
【０００５】
例えば、非特許文献１では、１２０ＧＨｚ帯においておよそ１５ＧＨｚの帯域を使用してＡＳＫ変調によって１０Ｇｂｐｓのデータ伝送を行っており、非特許文献２では、３００ＧＨｚ帯においておよそ３０ＧＨｚの帯域を使用してＡＳＫ変調によって２０Ｇｂｐｓのデータ伝送を行っている。
【０００６】
これらの無線機はどちらも高周波特性に優れたトランジスタであるＩｎＰ−ＨＥＭＴを用いた電子回路によって実現されている。一般に、１００ＧＨｚ帯以上の周波数帯を用いた無線機を実現するためには、高周波特性に優れた電子回路を用いる必要があるため、汎用の電子回路で多く用いられるＳｉＣＭＯＳトランジスタではなく、ＩｎＰ−ＨＥＭＴやＩｎＰ−ＨＢＴといったＩｎＰ系の化合物半導体を用いたトランジスタが用いられる。ＣＭＯＳトランジスタとＩｎＰ系の化合物半導体トランジスタでは、トランジスタの最大発振周波数（ｆｍａｘ）が大きく異なるからである。
【０００７】
ｆｍａｘは、トランジスタの電力利得が１となる周波数であるため、ｆｍａｘ以上の周波数では、無線通信に必須となる電力増幅作用を有するアンプ類、例えば、送信機用のパワーアンプ（ＰＡ）や受信機用の低雑音アンプ（ＬＮＡ）、その他ゲインブロック用のバッファアンプ等を実現することが難しい。ＣＭＯＳトランジスタでは最先端のプロセスを使用してもｆｍａｘは３００ＧＨｚ程度なのに対し（例えば、「非特許文献３」参照。）、ＩｎＰ系の化合物半導体トランジスタではｆｍａｘは１ＴＨｚを超えており（例えば、「非特許文献４」参照。）、３００ＧＨｚ以上の周波数帯の回路設計にはＩｎＰ系のトランジスタが有利となる。
【先行技術文献】
【非特許文献】
【０００８】
【非特許文献１】Hirata, Akihiko, et al. "120-ＧＨｚ-band wireless link technologies for outdoor 10-Gbit/s data transmission. IEEE Transactions on Microwave Theory and Techniques 60.3 (2012): 881-895.
【非特許文献２】Hamada, Hiroshi, et al. "300-GHz band 20-Gbps ASK transmitter module based on ＩｎＰ-HEMT MMICs." Compound Semiconductor Integrated Circuit Symposium (CSICS), 2015 IEEE. IEEE, 2015.
【非特許文献３】Tsai, Kuen-Jou, Jing-Lin Kuo, and Huei Wang. "A W-band power amplifier in 65-nm CMOS with 27ＧＨｚ bandwidth and 14.8 dBm saturated output power." Radio Frequency Integrated Circuits Symposium (RFIC), 2012 IEEE. IEEE, 2012.
【非特許文献４】Lai, R., et al. "Fabrication of InP HEMT devices with extremely high Fmax." Indium Phosphide and Related Materials, 2008. IPRM 2008. 20th International Conference on. IEEE, 2008.
【非特許文献５】Song, Ho-Jin, et al. "50-Gb/s direct conversion QPSK modulator and demodulator MMICs for terahertz communications at 300 GHz." IEEE Transactions on Microwave Theory and Techniques 62.3 (2014): 600-609.
【非特許文献６】Kawai, Seitaro, et al. "A digitally-calibrated 20-Gb/s 60-GHz direct-conversion transceiver in 65-nm CMOS." Radio Frequency Integrated Circuits Symposium (RFIC), 2013 IEEE. IEEE, 2013.
【非特許文献７】Okada, Kenichi, et al. "20.3 A 64-QAM 60GHz CMOS transceiver with 4-channel bonding." Solid-State Circuits Conference Digest of Technical Papers (ISSCC), 2014 IEEE International. IEEE, 2014.
【発明の概要】
【発明が解決しようとする課題】
【０００９】
上述したように、無線通信のデータレートを伸ばすためには、低周波帯では、（１）周波数利用効率を高めるために多値変調技術を用いるアプローチが、高周波帯では、（２）データ伝送に用いる帯域を広くするアプローチがとられてきた。これらのアプローチの併用手法、すなわち、ミリ波帯以上の高周波数帯で多値変調を用いる手法により、原理的には非常に高いデータレートの無線通信が実現可能である。例えば、非特許文献５では、３００ＧＨｚ帯においてＱＰＳＫ変調を行うことで、５０Ｇｂｐｓのデータレートを実現している。非特許文献５の無線機は、ＩｎＰ−ＨＥＭＴと同様に高周波特性にすぐれたトランジスタであるＩｎＰ−ＨＢＴを用いて設計されている。
【００１０】
しかしながら、高周波帯において、低周波帯と同じように、より多値度の高い１６ＱＡＭや６４ＱＡＭを用いることにより周波数利用効率を高めるアプローチを行うことは難しい。多値度の向上に伴い、多値変調用の送信機および受信機の構成部品である直交変復調器に求められる特性が厳しくなるからである。
【００１１】
直交変復調器では、Ｉ（In-phase）信号およびＱ（Quadrature）信号が、等振幅、位相差９０°となっていることが理想であるが、振幅及び位相が理想値からずれると、無線通信におけるビット誤り率（ＢＥＲ）が劣化する。多値度の向上に伴い、Ｉ信号およびＱ信号に対して要求される振幅誤差、９０°からの位相誤差に対する制限が厳しくなるため、ＩＱミスマッチ補償回路のような補助回路を併用することで、直交変調器に求められる振幅誤差および９０°からの位相誤差に対する条件の緩和を行っている（例えば、「非特許文献６」参照。）。
【００１２】
ＩＱミスマッチ補償回路は、非特許文献６のようにアナログ・ディジタル変換器等の複雑な回路ブロックを有するため、通常、高い回路集積度が実現可能なＣＭＯＳトランジスタを用いた電子回路により実現される。化合物半導体トランジスタは、個々のトランジスタの特性バラつきがＣＭＯＳトランジスタよりも大きいため、ロジックのような多数のトランジスタを使う電子回路に適用することが難しいからである。高周波数帯で用いられるＩｎＰ系の化合物半導体トランジスタは、高周波性能ではＣＭＯＳトランジスタに勝るものの、集積度が求められる複雑な回路を実現することは難しい。
【００１３】
ＩｎＰ系の化合物半導体トランジスタでは電子回路の動作周波数を高く取れるため、高周波帯の送受信機用の電子回路に適用するのに好適ではあるが、多値度の高い変調方式に対応することが難しいという問題がある。一方、ＣＭＯＳトランジスタを用いる場合には、集積度を高くできるため、ＩＱミスマッチ補償回路のような複雑な回路を実現可能であり多値度の高い変調方式に対応できるものの、トランジスタのｆｍａｘが低いため、３００ＧＨｚを超えるような周波数帯で動作する電子回路、特に、ＰＡやＬＮＡを実現することが難しく、３００ＧＨｚを超える搬送波を用いる無線通信用の送受信機を実現することが難しかった。
【００１４】
このように、高速の無線通信を実現するために、高周波数帯において多値変調を用いる方法があるが、搬送波として３００ＧＨｚ以上の周波数帯を用いる場合には、ＣＭＯＳトランジスタではｆｍａｘが不足するためにアンプ等の無線通信用の送受信機を構成する高周波アナログ回路が実現できず、一方、ＩｎＰ系の化合物半導体トランジスタでは、アンプ等の高周波アナログ回路は実現できても、ＩＱミスマッチ補償回路等の複雑な回路の実現が難しいため、結果として多値度の高い変調方式に対応することが出来ないという問題があった。
【００１５】
また、現実の回路素子には配線の高周波損失やインピーダンスミスマッチによる損失があるため、トランジスタの電力利得が１を少し超える程度しかないようなｆｍａｘに近い周波数帯で増幅率を持つアンプを実現することは難しい。ＣＭＯＳトランジスタのようなｆｍａｘが最大でも３００ＧＨｚ程度のトランジスタでは、高性能なアンプが実現できる周波数帯は、現実的には１００ＧＨｚ付近の周波数帯である。
【００１６】
本発明は、以上のような問題を解決するためになされたものであり、１００ＧＨｚを超える周波数帯で多値度の高い変調が可能な無線送受信機を提供することを目的とする。
【課題を解決するための手段】
【００１７】
上記の課題を解決するために、本発明の無線送信機は、１００ＧＨｚ以下の搬送波周波数を有する多値変調信号を出力する多値変調送信器と、前記多値変調信号を１００ＧＨｚを超える周波数帯にアップコンバートする周波数アップコンバージョン用ミキサと、前記周波数アップコンバージョン用ミキサを駆動するミキサ駆動用信号源と、前記周波数アップコンバージョン用ミキサの出力信号を増幅するパワーアンプとを有し、前記多値変調送信器は、ＣＭＯＳトランジスタを用いて構成され、前記周波数アップコンバージョン用ミキサおよび前記ミキサ駆動用信号源は、ＣＭＯＳトランジスタもしくは化合物半導体トランジスタを用いて構成され、前記パワーアンプは、化合物半導体トランジスタを用いて構成される。
【００１８】
上記の課題を解決するために、本発明の無線受信機は、１００ＧＨｚを超える搬送波周波数を有する多値変調信号を増幅する低雑音アンプと、前記低雑音アンプの出力信号を１００ＧＨｚ以下の周波数帯にダウンコンバートする周波数ダウンコンバージョン用ミキサと、前記周波数ダウンコンバージョン用ミキサを駆動するミキサ駆動用信号源と、前記周波数ダウンコンバージョン用ミキサが出力する１００ＧＨｚ以下の搬送波周波数を有する多値変調信号を復調する多値復調受信器とを有し、前記低雑音アンプは、化合物半導体トランジスタを用いて構成され、前記周波数ダウンコンバージョン用ミキサおよび前記ミキサ駆動用信号源は、ＣＭＯＳトランジスタもしくは化合物半導体トランジスタを用いて構成され、前記多値復調受信器は、ＣＭＯＳトランジスタを用いて構成される。
【００１９】
上記の課題を解決するために、本発明の通信システムは、上記無線送信機と無線受信機を備える。
【００２０】
上記の課題を解決するために、本発明の無線送信機は、１００ＧＨｚ以下の搬送波周波数を有する多値変調信号を出力する複数の多値変調送信器と、複数の前記多値変調信号を１００ＧＨｚを超える周波数帯にアップコンバートする複数の周波数アップコンバージョン用ミキサと、複数の前記周波数アップコンバージョン用ミキサを駆動する複数のミキサ駆動用信号源と、前記複数の周波数アップコンバージョン用ミキサの出力信号を周波数領域で多重する周波数多重回路と、前記周波数多重回路の出力信号を増幅するパワーアンプとを有し、前記多値変調送信器は、ＣＭＯＳトランジスタを用いて構成され、前記周波数アップコンバージョン用ミキサおよび前記ミキサ駆動用信号源は、ＣＭＯＳトランジスタもしくは化合物半導体トランジスタを用いて構成され、前記パワーアンプは、化合物半導体トランジスタを用いて構成される。
【００２１】
上記の課題を解決するために、本発明の無線受信機は、１００ＧＨｚを超える搬送波周波数を有する多値変調信号を増幅する低雑音アンプと、前記低雑音アンプの出力信号を周波数領域で分割する周波数分割回路と、前記周波数分割回路の出力信号を１００ＧＨｚ以下の周波数帯にダウンコンバートする複数の周波数ダウンコンバージョン用ミキサと、前記周波数ダウンコンバージョン用ミキサを駆動する複数のミキサ駆動用信号源と、前記周波数ダウンコンバージョン用ミキサが出力する１００ＧＨｚ以下の搬送波周波数を有する多値変調信号を復調する複数の多値復調受信器とを有し、前記低雑音アンプは、化合物半導体トランジスタを用いて構成され、前記周波数ダウンコンバージョン用ミキサおよび前記ミキサ駆動用信号源は、ＣＭＯＳトランジスタもしくは化合物半導体トランジスタを用いて構成され、前記多値復調受信器は、ＣＭＯＳトランジスタを用いて構成される。
【００２２】
上記の課題を解決するために、本発明の通信システムは、上記無線送信機と無線受信機を備える。
【発明の効果】
【００２３】
本願発明によれば、１００ＧＨｚを超える周波数帯で多値度の高い変調が可能な無線送受信機を提供することが可能となる。
【図面の簡単な説明】
【００２４】
【図１】図１は、本発明の実施の形態に係る無線通信システムの構成例である。
【図２】図２は、本発明の実施の形態に係る無線通信システムの他の構成例である。
【図３】図３は、本発明の実施の形態に係る無線通信システムの具体例である。
【発明を実施するための形態】
【００２５】
本実施の形態では、無線通信用の無線送受信機において高速動作が求められる回路ブロックにはＩｎＰ等の化合物半導体トランジスタを用い、集積度が求められる回路ブロックにはＣＭＯＳトランジスタを用いることで、１００ＧＨｚを超える周波数帯で多値度の高い変復調が可能な無線送受信機を実現する。
【００２６】
具体的には、本実施形態の無線送信機では、ＣＭＯＳトランジスタを用いて構成した１００ＧＨｚ程度以下までの搬送波周波数を使用する多値変調送信器と、ＣＭＯＳトランジスタもしくは化合物半導体トランジスタを用いて構成した周波数アップコンバージョン用のミキサおよびミキサ駆動用の信号源と、化合物半導体を用いて構成した１００ＧＨｚを超える周波数帯で動作可能なＰＡとを備える。
【００２７】
同様に、本発明の無線受信機では、化合物半導体を用いて実現した１００ＧＨｚを超える周波数帯で動作可能なＬＮＡと、ＣＭＯＳトランジスタもしくは化合物半導体を用いて実現した周波数ダウンコンバージョン用のミキサと、ＣＭＯＳトランジスタもしくは化合物半導体を用いて構成したミキサ駆動用の信号源と、ＣＭＯＳトランジスタを用いて構成した１００ＧＨｚ程度以下までの搬送波周波数を使用する多値変調無線用受信機とを備える。
【００２８】
図１および図２に、本発明の実施の形態における無線通信システムの構成例を示す。尚、図１では、ＣＭＯＳトランジスタで構成した変調器、復調器で扱う１００ＧＨｚ以下の信号の周波数をｆ１、化合物半導体トランジスタで構成したＰＡやＬＮＡで扱う１００ＧＨｚ以上の周波数をｆ２と記載している。
【００２９】
図１の無線送信機１では、ＣＭＯＳ多値変調送信器１０で生成された搬送波周波数ｆ１の多値変調信号と、ミキサ駆動用の信号源１２が出力するｆ２−ｆ１の周波数のＬＯ信号とを周波数アップコンバージョン用ミキサ１１で掛け合わせ、搬送波周波数ｆ２の多値変調信号を生成する。そして、この搬送波周波数ｆ２の多値変調信号をＩｎＰ系の化合物半導体トランジスタで構成したＰＡ１３で電力増幅し、アンテナ１４により空間伝搬させて送信する。
【００３０】
図１の無線受信機２では、アンテナ２４で受信した搬送波周波数ｆ２の多値変調信号をＩｎＰ系の化合物半導体トランジスタで構成したＬＮＡ２３で増幅し、ミキサ駆動用の信号源２２が出力するｆ２−ｆ１の周波数のＬＯ信号とを周波数ダウンコンバージョン用ミキサ２１で掛け合わせ、搬送波周波数ｆ１の多値変調信号を生成する。そして、この多値変調信号をＣＭＯＳ多値復調受信器２０に入力し、データを復調する。
【００３１】
このように、高速動作が求められるＰＡ、ＬＮＡはＩｎＰ系の化合物半導体トランジスタを用いて構成し、集積度が求められる多値変復調器にはＣＭＯＳトランジスタを用いることで、１００ＧＨｚを超える周波数帯で多値度の高い変復調が可能な無線送受信機を実現することができる。
【００３２】
図１の構成では、１００ＧＨｚを超える周波数帯において多値度の高い変復調を実現できるものの、そのデータレートはＣＭＯＳ多値変調送信器がサポートするデータレートと等しくなる。前述したように、搬送波周波数を高くすることにより、同じ比帯域でも実際に使用可能な帯域が増えるので、その利点を生かすことによりデータレートをさらに向上させることが可能である。
【００３３】
図２は、図１の送受信機に周波数多重回路（ＭＵＸ）および周波数分割経路（ＤＥＭＵＸ）を追加した構成である。このような構成によって、１００ＧＨｚを超える周波数帯の中に複数の多値変調信号を多重することができ、データレートを向上させることが可能となる。
【００３４】
図２の無線送信機１では、Ｎ個のＣＭＯＳ多値変調送信器（１０−１〜１０−４）で生成した多値変調信号を別々の周波数のＬＯ信号（ＬＯ１−ＬＯ４）によりアップコンバートし、それらの信号をＭＵＸ３０で周波数多重して送信する。一方、無線受信機２では、多重された多値変調信号をＤＥＭＵＸ３１によって周波数ごとにＮ個の多値変調信号に分割し、それぞれの多値変調信号を送信側と等しい周波数のＬＯ信号（ＬＯ１−ＬＯ４）を用いてダウンコンバートしてＣＭＯＳ多値復調受信器（２０−１〜２０−４）に入力する。この構成によって、データレートを図１のデータレートのＮ倍にすることが出来る。尚、図２はＮ＝４の場合を図示している。
【００３５】
図３を用いて、無線通信システムの具体例を説明する。図３は、ＣＭＯＳ多値変調送信器として６０ＧＨｚ帯のものを用い、ＩｎＰ系の化合物半導体を用いた回路として３００ＧＨｚ帯のものを用いた無線通信システムである。
【００３６】
図３では、６０ＧＨｚ帯におけるＣＭＯＳ多値変調送信器として、１６ＱＡＭを用いた伝送レートが２８Ｇｂｐｓの多値変調送信器（１０−１〜１０−３）を用いる。例えば、そのようなＣＭＯＳ多値変調送信器は、非特許文献７に記載されている。無線送信機１の３００ＧＨｚ帯のＰＡ１３としては、動作帯域が３００ＧＨｚ±１４ＧＨｚで、飽和出力電力が１０ｄＢｍ程度のものを用いる。例えば、そのようなＰＡは、非特許文献２に記載されている。無線受信機２のＬＮＡ２３についてもＰＡ１３と同程度の帯域を有し、ＮＦ１０程度のものを用いる。アップコンバージョン用ミキサ（１１−１〜１１−３）、ダウンコンバージョン用ミキサ（２１−１〜２１−３）としては、例えば、非特許文献２に記載の分布変調器を用いれば、変換利得−１５ｄＢ程度のアップコンバージョン、ダウンコンバージョンがともに実現可能である。
【００３７】
例えば、非特許文献７に記載の送受信機の帯域は８．６４ＧＨｚであるから、図３のように動作帯域が３００ＧＨｚ±１４ＧＨｚのＰＡを用いれば、ＰＡの帯域内に３チャネル分の周波数多重を行うことが出来るので、ＣＭＯＳ多値変調送信器の伝送レートが２８Ｇｂｐｓの場合、２８×３＝８４Ｇｂｐｓの無線伝送が実現可能である。
【００３８】
ここで、ＰＡ１３、ＬＮＡ２３およびミキサの帯域を４５ＧＨｚ程度まで広げれば、５チャネル分の周波数多重が可能となり、２８×５＝１４０Ｇｂｐｓの無線伝送も可能となる。中心周波数が３００ＧＨｚであるから、帯域が４５ＧＨｚの場合の比帯域は１５％であり、ＰＡ等の高周波回路は十分実現可能である。
【００３９】
このように、本発明の実施の形態によれば、高速動作が求められる回路ブロックをＩｎＰ系の化合物半導体トランジスタで構成し、集積度が求められる回路ブロックをＣＭＯＳトランジスタで構成することで、ＣＭＯＳトランジスタとＩｎＰ系の化合物半導体トランジスタそれぞれの利点を組み合わせて、高データレートの無線送受信機を実現することが可能となる。
【符号の説明】
【００４０】
１…無線送信機、２…無線受信機、１０…多値変調送信器、１１…周波数アップコンバージョン用ミキサ、１２…ミキサ駆動用の信号源、１３…パワーアンプ（ＰＡ）、１４…アンテナ（送信）、２０…多値復調受信器、２１…周波ダウンコンバージョン用ミキサ、２２…ミキサ駆動用信号源、２３…パワーアンプ（ＰＡ）、２４…アンテナ（受信）、３０…周波数多重回路、３１…周波数分割回路。
【図１】
2019033366.tif 000003
【図２】
2019033366.tif 000004
【図３】
2019033366.tif 000005